(57)【要約】【目的】携帯電話において画像合成を行う。【構成】ディジタル・カメラが付いた携帯電話を用いて，被写体を撮像する。被写体像Ｉ１を携帯電話の表示画面１５に表示する（Ａ）。被写体像Ｉ１の中から，合成すべき主被写体像Ｏｂを抽出する（Ｂ）。あらかじめ記憶されている背景画像Ｉ２を表示画面１５上に表示する（Ｃ）。背景画像Ｉ２上に主被写体像Ｏｂを合成する（Ｄ）。主被写体像Ｏｂの位置および大きさを調整して合成画像を生成する（Ｅ）。生成された合成画像を表す画像データを携帯電話から画像サーバに送信する。【選択図】　図５
2004120269.tif 000002
【特許請求の範囲】
【請求項１】
被写体を撮像し，被写体像を表す被写体像データを出力する撮像手段，
被合成画像を表す被合成画像データを記憶する画像メモリ，
上記画像メモリに記憶されている被合成画像データによって表される被合成画像に，上記撮像手段から出力された被写体像データによって表される被写体像を合成し，合成画像を生成する画像合成手段，および
上記画像合成手段によって生成された合成画像データを画像サーバに送信する第１の送信手段，
を備えた携帯型撮像装置。
【請求項２】
上記撮像手段から出力された被写体像データを上記画像サーバに送信する第２の送信手段，
上記撮像手段から出力された被写体像データによって表される被写体像のサムネイル画像を生成するサムネイル画像生成手段，
上記サムネイル画像生成手段によって生成されたサムネイル画像を表示画面上に表示するサムネイル画像表示装置，
上記サムネイル画像表示装置の表示画面上に表示されたサムネイル画像のうち，合成すべき画像領域を指定する画像領域指定手段，
上記画像領域指定手段によって指定された領域内の画像の上記被合成画像上における合成位置を指定する合成位置指定手段，および
上記画像領域指定手段によって指定された画像領域を表すデータと上記合成位置指定手段によって指定された合成位置を表すデータとを上記画像サーバに送信する第３の送信手段，
を備えた請求項１に記載の携帯型撮像装置。
【請求項３】
上記被合成画像を特定するデータを上記画像サーバに送信する第４の送信手段をさらに備えた請求項２に記載の携帯型撮像装置。
【請求項４】
上記画像メモリは，サムネイルの被合成画像を表す被合成画像データを記憶するものであり，
上記サムネイルの被合成画像上に，上記画像領域指定手段によって指定された領域内の画像を合成して表示画面上に表示するように上記サムネイル画像表示装置を制御する表示制御手段をさらに備えた請求項２に記載の携帯型撮像装置。
【請求項５】
携帯型撮像装置から送信された被写体像データを受信する第１の受信手段，
上記第１の受信手段によって受信された上記被写体像データによって表される被写体像のうち，合成すべき画像領域を表すデータおよび合成位置を表すデータを受信する第２の受信手段，ならびに
上記第１の受信手段によって受信された上記被写体像データによって表される被写体像のうち，上記画像領域データによって表される画像領域内の画像を，被合成画像上における上記合成位置データによって表される合成位置に合成する画像合成手段，
を備えた画像サーバ。
【請求項６】
被合成画像を特定するデータを受信する第３の受信手段をさらに備え，
上記画像合成手段は，上記第３の受信手段によって受信した被合成画像特定データによって特定される被合成画像に，上記画像領域内の画像を合成するものである，
請求項５に記載の画像サーバ。
【請求項７】
被写体を撮像し，被写体像を表す被写体像データを得，
被合成画像を表す被合成画像データを記憶する画像メモリに記憶されている被合成画像データによって表される被合成画像に，上記撮像により得られた被写体像データによって表される被写体像を合成して合成画像を生成し，
生成された合成画像データを画像サーバに送信する，
携帯型撮像装置の制御方法。
【請求項８】
携帯型撮像装置から送信された被写体像データ，上記被写体像データによって表される被写体像のうち，合成すべき画像領域を表すデータおよび合成位置を表すデータを受信し，
受信された上記被写体像データによって表される被写体像のうち，上記画像領域データによって表される画像領域内の画像を，被合成画像上における上記合成位置データによって表される合成位置に合成する，
画像サーバの制御方法。
【発明の詳細な説明】
【０００１】
【技術分野】
この発明は，携帯型撮像装置（カメラの機能をもつ携帯電話，カメラの機能をもつ携帯型情報端末を含む）および画像サーバならびにそれらの制御方法に関する。
【０００２】
【発明の背景】
被写体と背景とを分離して合成する大型の装置については考えられている（例えば，特許文献１参照）。しかしながら，小型の装置についてはこのような合成等は考えられていない。現在，カメラ付き携帯電話が市販されている。カメラ付き携帯電話においては，単に通話するだけでなく，被写体を撮像し，撮像により得られた画像データを相手に送信することができる。画像データを受信した相手は，その受信した画像データによって表される画像を，携帯電話に設けられている表示画面で見ることができる。
【０００３】
【特許文献１】
特開２００１−２４５２９０号公報
【０００４】
しかしながら，カメラ付き携帯電話を用いては，被写体を撮像し，その撮像した画像を表す画像データを相手に送信するだけでなく，他の利用方法も模索されている。
【０００５】
【発明の開示】
この発明は，カメラ付き携帯電話に代表される携帯型撮像装置の新たな利用方法を提供することを目的とする。
【０００６】
第１の発明による携帯型撮像装置は，被写体を撮像し，被写体像を表す被写体像データを出力する撮像手段，被合成画像を表す被合成画像データを記憶する画像メモリ，上記画像メモリに記憶されている被合成画像データによって表される被合成画像に，上記撮像手段から出力された被写体像データによって表される被写体像を合成し，合成画像を生成する画像合成手段，および上記画像合成手段によって生成された合成画像データを画像サーバに送信する第１の送信手段を備えていることを特徴とする。
【０００７】
第１の発明は，上記携帯型撮像装置の制御方法も提供している。すなわち，この方法は，被写体を撮像し，被写体像を表す被写体像データを得，被合成画像を表す被合成画像データを記憶する画像メモリに記憶されている被合成画像データによって表される被合成画像に，上記撮像により得られた被写体像データによって表される被写体像を合成して合成画像を生成し，生成された合成画像データを画像サーバに送信するものである。
【０００８】
第１の発明によると，画像メモリには，被合成画像データ（背景画像データ）が記憶される。また，被写体を撮像することにより，被写体像を表す被写体像データが得られる。画像メモリに記憶される被合成画像データによって表される被合成画像に，撮像によって得られた被写体像データによって表される被写体像が合成される。合成画像を表す合成画像データが，画像サーバに送信される。
【０００９】
携帯型撮像装置を利用して，合成画像を生成することができる。しかも，生成された合成画像を表す合成画像データを画像サーバに送信するので，画像サーバから他のコンピュータ装置にダウンロードさせることもできる。携帯型撮像装置とは異なるコンピュータ装置に接続された表示装置の表示画面上に合成画像を表示することができるようになる。
【００１０】
上記撮像手段から出力された被写体像データを上記画像サーバに送信する第２の送信手段，上記撮像手段から出力された被写体像データによって表される被写体像のサムネイル画像を生成するサムネイル画像生成手段，上記サムネイル画像生成手段によって生成されたサムネイル画像を表示画面上に表示するサムネイル画像表示装置，上記サムネイル画像表示装置の表示画面上に表示されたサムネイル画像のうち，合成すべき画像領域を指定する画像領域指定手段，上記画像領域指定手段によって指定された領域内の画像の上記被合成画像上における合成位置を指定する合成位置指定手段，および上記画像領域指定手段によって指定された画像領域を表すデータと上記合成位置指定手段によって指定された合成位置を表すデータとを上記画像サーバに送信する第３の送信手段を備えるようにしてもよい。
【００１１】
撮像により得られた被写体像データは，撮像装置から出力されると携帯型撮像装置から画像サーバに送信される。また，撮像により得られた被写体像データによって表される被写体像のサムネイル画像が生成される。生成されたサムネイル画像は，サムネイル画像表示装置の表示画面に表示される。表示画面に表示されたサムネイル画像を見ながら，合成すべき画像領域が指定される。また，合成すべき画像領域の被合成画像上の合成位置が指定される。指定された画像領域を表すデータと，合成位置を表すデータとが画像サーバに送信される。
【００１２】
携帯型撮像装置から送信された被写体像データ，画像領域データおよび合成位置データが画像サーバにおいて受信される。このために，画像サーバにおいて，被写体像データによって表される被写体像のうち，画像領域データによって表される画像領域内の画像を，合成位置データによって表される合成位置に合成して合成画像を生成することができるようになる。
【００１３】
携帯型撮像装置において，合成画像を生成する画像領域の指定と合成位置の指定とは，サムネイル画像を用いて行っている。サムネイル画像は，被写体像よりもデータ量が少ないので，携帯型撮像装置における画像領域の指定と合成位置の指定を行うために画像データを一時的に記憶するメモリが必要であってもメモリの容量は少なくて済む。
【００１４】
上記被合成画像を特定するデータを上記画像サーバに送信する第４の送信手段をさらに備えるようにしてもよい。
【００１５】
上記画像サーバに，多数駒の被合成画像データが格納されている場合には，その被合成画像を特定させることができるようになる。特定された被合成画像を利用して，合成画像を生成することができる。
【００１６】
上記画像メモリは，サムネイルの被合成画像を表す被合成画像データを記憶するものでもよい。この場合には，上記サムネイルの被合成画像上に，上記画像領域指定手段によって指定された領域内の画像を合成して表示画面上に表示するように上記サムネイル画像表示装置を制御する表示制御手段をさらに備えることとなろう。
【００１７】
合成された画像が表示画面上に表示されるので，合成画像を確認することができる。
【００１８】
第２の発明は，上記第１の発明による携帯型撮像装置から送信された被写体像データ等を受信する画像サーバについてのものである。第２の発明による画像サーバは，携帯型撮像装置から送信された被写体像データを受信する第１の受信手段，上記第１の受信手段によって受信された上記被写体像データによって表される被写体像のうち，合成すべき画像領域を表すデータおよび合成位置を表すデータを受信する第２の受信手段，ならびに上記第１の受信手段によって受信された上記被写体像データによって表される被写体像のうち，上記画像領域データによって表される画像領域内の画像を，被合成画像上における上記合成位置データによって表される合成位置に合成する画像合成手段を備えていることを特徴とする。
【００１９】
第２の発明は，上記画像サーバに適した制御方法も提供している。すなわち，この方法は，携帯型撮像装置から送信された被写体像データ，上記被写体像データによって表される被写体像のうち，合成すべき画像領域を表すデータおよび合成位置を表すデータを受信し，受信された上記被写体像データによって表される被写体像のうち，上記画像領域データによって表される画像領域内の画像を，被合成画像上における上記合成位置データによって表される合成位置に合成するものである。
【００２０】
第２の発明によると，画像サーバにおいて，携帯型撮像装置から送信された被写体像データ，画像領域データおよび合成位置データが受信される。すると，受信された被写体像データによって表される被写体像のうち，画像領域データによって表される画像領域内の画像が，被合成画像上における合成位置データによって表される合成位置に合成される。画像サーバにおいて，携帯型撮像装置において指定した領域内の画像を，指定した位置に合成された画像を生成することができるようになる。
【００２１】
被合成画像を特定するデータを受信する第３の受信手段をさらに備えるようにしてもよい。この場合，上記画像合成手段は，上記第３の受信手段によって受信した被合成画像特定データによって特定される被合成画像に，上記画像領域内の画像を合成するものとなろう。
【００２２】
画像サーバにおいて，多数駒の被合成画像を表すデータが格納されている場合でも，所望の被合成画像を特定して，合成画像を生成することができるようになる。
【００２３】
【実施例の説明】
図１は，この発明の実施例を示すもので，携帯電話システムの概要を示している。
【００２４】
携帯電話システムには，インターネットを介して互いに通信可能な携帯電話１と画像サーバ２０とクライアント・コンピュータ３０とが含まれている。携帯電話１は，詳しくは後述するように，ディジタル・カメラを有しているもので，被写体を撮像することができる。また携帯電話１には，あらかじめ画像が記憶されている。あらかじめ記憶されている画像を背景画像として，被写体を撮像することにより得られた被写体像データによって表される被写体像と背景画像とを合成することができる。合成された画像を表す合成画像データを携帯電話１から画像サーバ２０に送信できる。
【００２５】
画像サーバ２０には，インターネットと接続するための通信回路，データ等を記憶するための画像メモリを含むメモリ，表示装置，ＣＰＵなどが含まれている。
【００２６】
携帯電話１およびクライアント・コンピュータ３０は，それぞれ１つずつ図示されているが多数の携帯電話およびクライアント・コンピュータがインターネットを介して画像サーバ２０と通信できるのはいうまでもない。
【００２７】
図２は，携帯電話１の電気的構成を示すブロック図である。
【００２８】
携帯電話１の全体の動作は，制御装置６によって統括される。
【００２９】
上述したように，携帯電話１には，ディジタル・カメラ２が含まれている。ディジタル・カメラ２によって被写体が撮像され，被写体像を表す被写体像データが出力される。被写体像データは，制御装置６を介して記憶装置５に与えられ，記憶される。記憶装置５には，上述した合成画像の背景となる背景画像があらかじめ記憶されている。比較的高画質の合成画像を生成できる背景画像でなく，サムネイルの背景画像を表す画像データが記憶されていてもよい。
【００３０】
携帯電話１には，シャッタ・レリーズの機能をもつボタン，メニュー・ボタン，クリア・ボタン，テン・キーパッド，決定ボタン，上下左右ボタン，ジョグ・ダイアルなどのボタンなどを含むキー類３が形成されている。キー類３からの出力信号は，制御装置６に入力する。
【００３１】
また，制御装置６には，撮像により得られた被写体像を表示する表示装置４も接続されている。表示装置４の表示画面上には，記憶装置５に記憶されている背景画像，生成された合成画像等を表示することもできる。
【００３２】
携帯電話１には，アンテナ８が設けられている。このアンテナ８を介して音声データ，画像データ等が受信され，通信装置７に入力する。
【００３３】
マイクロフォン１４に入力した音声は，音声信号として出力され音声処理装置１２に入力する。音声処理装置１２において，音声データにコーディングされる。音声データが，制御装置６および通信装置７を介してアンテナ８に与えられることにより，他の携帯電話等に送信される。アンテナ８において受信した音声データは，通信装置７および制御装置６を介して音声処理装置１２に入力する。音声処理装置１２において，音声データがデコーディングされ，音声信号が生成される。生成された音声信号が，スピーカ１３に与えられることにより，受信した音声データによって表される音声が出力される。
【００３４】
また，携帯電話１には，画像処理装置９が含まれている。画像処理装置９には，撮像により得られた被写体像のうち背景画像に合成すべき画像部分（合成領域画像）を抽出する画像抽出回路１０および抽出された合成領域画像と背景画像とを合成する画像合成回路１１とが含まれている。
【００３５】
図３および図４は，携帯電話１の処理手順を示すフローチャートである。図５（Ａ）から（Ｅ）は，携帯電話１の表示装置４の表示画面に表示等される画像の一例である。
【００３６】
シャッタ・レリーズに応じてディジタル・カメラ２によって被写体が撮像され，被写体像を表す被写体像データが得られる（ステップ４１）。撮像により得られた被写体像データは，記憶装置５に一時的に記憶される（ステップ４２）。画像の合成処理が行われなければ（ステップ４３でＮＯ），シャッタ・レリーズに応じて撮像処理（ステップ４１）および被写体像データの記憶処理（ステップ４２）が繰り返される。
【００３７】
メニュー・ボタンが押されると操作メニューが表示装置４の表示画面に表示される。操作メニューのうち，画像合成処理モードが選択されると（ステップ４３でＹＥＳ），表示装置４の表示画面上には，撮像によって得られた被写体像の選択メニューまたは背景画像の選択メニューが現れる。被写体像の選択メニューが選択されると，記憶装置５に一時的に記憶された一駒目の被写体像を表す被写体像データが読み出される。読み出された被写体像データは，表示装置４に与えられる。被写体像データによって表される被写体像が表示装置４の表示画面上に表示される（ステップ４４）。携帯電話１に設けられている表示装置４の表示画面は小さいので，大きな画像を表示することはできない。このために，必要に応じて制御装置６において間引き処理が行われるのはいうまでもない。記憶装置５に多数の駒の被写体像を表す被写体像データが記憶されている場合には，上下左右ボタンの右矢印が押されることにより，次の駒の被写体像を表す被写体像データが記憶装置５から読み出される。読み出された被写体像データが，表示装置４の表示画面上に表示される。
【００３８】
所望の被写体像が表示装置４の表示画面上に表示されたときに，決定ボタンが押されることにより，背景画像に合成される被写体像が選択される（ステップ４５）。図６（Ａ）に示すように，表示装置４の表示画面１５上に選択された被写体像Ｉ１が表示される。被写体像Ｉ１には，主被写体Ｏｂが含まれている。このＯｂを背景画像に合成するものとする。被写体像Ｉ１上には，カーソルＣが表示されている。このカーソルＣは，携帯電話１に設けられているジョグ・ダイアルによって移動自在である。ジョグ・ダイアルによってカーソルＣが操作され，選択された被写体像のうち，背景画像に合成すべき主被写体像Ｏｂが合成画像領域として指定される（ステップ４７）。選択された被写体像を表す画像データは，画像抽出回路１０に入力し，画像抽出回路１０において，指定された合成画像領域内の主被写体像Ｏｂが被写体像から抽出される（ステップ４８）。抽出処理により，図５（Ｂ）に示すように，主被写体像（合成領域画像）Ｏｂが得られる。合成領域画像Ｏｂを表す画像データは，画像抽出回路１０から記憶装置５に与えられ，一時的に記憶される。
【００３９】
つづいて，クリア・ボタンが押されることにより，表示装置４の表示画面上には，被写体像の選択メニューおよび背景画像の選択メニューが再び表示される。背景画像の選択メニューが選択されることにより，記憶装置５にあらかじめ記憶されている背景画像データが読み出される。読み出された背景画像データが表示装置４に与えられることにより，図５（Ｃ）に示すように，表示装置４の表示画面上に背景画像Ｉ２が表示される（ステップ４９）。被写体像の場合と同様に，上下左右ボタンの右矢印が押されることにより，次の駒の背景画像を表す画像データが記憶装置５から読み出され，次の駒の背景画像が表示装置４の表示画面上に表示される。決定ボタンが押されることにより，表示装置４の表示画面上に表示されている背景画像が，抽出された合成領域画像の背景として選択されたこととなる（ステップ５０）。
【００４０】
背景画像が選択され，かつ合成領域画像が抽出されると，背景画像データおよび合成領域画像データは，記憶装置５から読み出され，画像合成回路１１に入力する。画像合成回路１１において，背景画像上に合成領域画像が合成された合成画像データが生成される。生成された合成画像データは，画像合成回路１１から表示装置４に与えられる。図５（Ｄ）に示すように，表示装置４の表示画面上に合成画像が表示される（ステップ５３）。この時は，合成領域画像Ｏｂの大きさは，被写体像Ｉ１から抽出された時の大きさと同じである。また，合成領域画像Ｏｂの位置はあらかじめ定められた位置に合成される。
【００４１】
つづいて，合成領域画像Ｏｂの大きさおよび合成位置が指定される（ステップ５４）。上下左右ボタンの上矢印が押されることにより，合成領域画像Ｏｂの大きさが大きくなり，上下左右ボタンの下矢印が押されることにより，合成領域画像Ｏｂの大きさが小さくなる。上下左右ボタンの上矢印および下矢印を操作することにより，合成領域画像Ｏｂの大きさを調整できる。合成領域画像Ｏｂの大きさが所望の大きさとなると，決定ボタンが押される。合成領域画像Ｏｂの大きさが決定すると，合成領域画像Ｏｂの位置が決定される。位置は，上下左右ボタンの押下に応じて決定される。上下左右ボタンに形成されている上矢印，下矢印，右矢印または左矢印が押されることに応じて，上，下，右または左に画像領域画像Ｏｂが背景画像上において移動する。所望の位置に移動したときに決定ボタンが押されることにより，合成領域画像Ｏｂの合成位置が決定する。
【００４２】
合成領域画像Ｏｂの大きさおよび合成位置が決定すると（ステップ５５でＹＥＳ），生成された合成画像データが画像合成回路１１から読み出される。読み出された合成画像データは，表示装置４に与えられ，図５（Ｅ）に示すように，表示画面上に合成画像が表示される。合成画像データは記憶装置５に与えられ，記憶される（ステップ５６）。合成画像データは，記憶装置５から読み出され，通信装置７を介してアンテナ８に与えられることにより，画像サーバ２０に送信される（ステップ５７）。生成された合成画像データは，画像合成回路１１から記憶装置５に与えられ，記憶されているが，必ずしも記憶装置５に記憶しなくてもよい。画像合成回路１１から読み出された合成画像データを通信装置７を介してアンテナ８から画像サーバ２０に送信するようにしてもよい。
【００４３】
図６から図８は，他の実施例を示すもので，携帯電話１と画像サーバ２０との間の通信処理を示すフローチャートである。これらの処理は，サムネイル画像を用いて画像合成処理を行うものである。この場合記憶装置５には，サムネイル背景画像を表す画像データが記憶されている。
【００４４】
携帯電話１のディジタル・カメラを用いて被写体が撮像される（図６ステップ６１）。撮像により得られた被写体像データは，ディジタル・カメラ２から制御装置６および通信装置７を介してアンテナ８に与えられる。被写体像データは，アンテナ８から画像サーバ２０に送信される（図６ステップ６２）。
【００４５】
携帯電話１から送信された被写体像データが画像サーバ２０において受信され（図６ステップ９１），画像サーバ２０の画像メモリに記憶される。また，画像サーバ２０には，上述した背景画像を表す背景画像データが多数駒分あらかじめ記憶されている。
【００４６】
また，携帯電話１の制御装置６において，撮像により得られた被写体像データからサムネイル被写体像を表す画像データが生成される（図６ステップ６３）。生成されたサムネイル被写体像データは，記憶装置５に与えられ，記憶される（図６ステップ６４）。
【００４７】
記憶装置５からサムネイル被写体像データが読み出され，表示装置４に与えられる。表示装置４の表示画面上にサムネイル被写体像が表示される。すると，上述したのと同様に，表示されているサムネイル被写体像のうち画像合成領域が指定される（図６ステップ６５）。指定された画像合成領域内の画像が合成領域画像として抽出される（図６ステップ６６）。複数のサムネイル被写体像の中から，所望のサムネイル被写体像を選択するようにしてもよいのはいうまでもない。
【００４８】
つづいて，記憶装置５に記憶されているサムネイル背景画像データが読み出され，表示装置４の表示画面上にサムネイル背景画像が表示される（図６ステップ６７）。上述のように，サムネイル背景画像が選択される（図６ステップ６８）。
【００４９】
サムネイル背景画像が選択され，かつサムネイルの合成領域画像が抽出されると，サムネイル背景画像上にサムネイルの合成領域画像が合成される（図７ステップ７０）。生成された合成画像が表示装置４の表示画面上に表示される（図７ステップ７１）。上述したように，合成領域画像の大きさおよび合成位置が調整される（図７ステップ７２，図ステップ７３でＹＥＳ）。
【００５０】
合成領域，合成位置，合成領域画像の大きさ，サムネイル被写体像を識別するＩＤおよびサムネイル背景画像を識別するＩＤをそれぞれ示すデータが携帯電話１から画像サーバ２０に送信される（図７ステップ７４）。サムネイル被写体像のＩＤおよびサムネイル背景画像のＩＤは，それぞれ対応する被写体像のＩＤおよび背景画像のＩＤと同じであるのはいうまでもない。また，被写体像のＩＤは，撮像により被写体像データが得られるときに生成される。生成されたＩＤは，被写体像データが携帯電話１から画像サーバ２０に送信されるときに被写体像データとともに画像サーバ２０に送信される。また，サムネイル被写体像データが生成されるときにも，サムネイル被写体像データにＩＤが付加される。
【００５１】
背景画像と被写体像との境界部分は合成画像ではなめらかとならないことが多い。なめらかにするために特殊効果が指定される（図７ステップ７５）。この特殊効果は，背景画像選択メニューと被写体像選択メニューと同じようにメニューの中から選択することとなろう。特殊効果が選択されると，その選択指令が携帯電話１から画像サーバ２０に送信される（ステップ７６）。
【００５２】
携帯電話１から送信された合成領域，合成位置，合成領域画像の大きさ，サムネイル被写体像を識別するＩＤおよびサムネイル背景画像を識別するＩＤをそれぞれ示すデータが画像サーバ２０において受信される（ステップ９２）。すると，背景画像ＩＤに対応する背景画像データがおよび被写体像ＩＤに対応する被写体像データが画像サーバ２０のメモリの中からそれぞれ見つけられる（ステップ９３）。見つけられた背景画像および被写体像を用いて，受信した合成領域，合成位置および合成領域画像の大きさをそれぞれ表すデータを参照して，携帯電話１のユーザが生成した合成画像と同じ合成画像が生成される（ステップ９４）。
【００５３】
携帯電話１から送信される特殊効果指令が画像サーバ２０において受信されると（図７ステップ９５でＹＥＳ），生成された合成画像の合成領域画像と背景画像との境界がなめらかとなるように画像処理が行われる（図７ステップ９６）。
【００５４】
つづいて，携帯電話１の表示装置４の表示画面上に合成画像が表示できるように，画像サーバ２０において合成画像のサムネイル画像が生成される（図７ステップ９７）。生成されたサムネイル合成画像を表すデータが画像サーバ２０から携帯電話１に送信される（図８ステップ９８）。
【００５５】
画像サーバ２０から送信されたサムネイル合成画像データが携帯電話１において受信される（図８ステップ７７）。受信されたサムネイル合成画像データによって表されるサムネイル合成画像が，携帯電話１の表示装置４の表示画面上に表示される（図８ステップ７８）。携帯電話１のユーザによって，サムネイル合成画像が確認される。表示されたサムネイル合成画像で良ければ（図８ステップ７９でＹＥＳ），決定ボタンが押される。すると，ＯＫ指令が携帯電話１から画像サーバ２０に送信される（図８ステップ８０）。
【００５６】
携帯電話１から送信されたＯＫ指令が画像サーバ２０において受信されると（図８ステップ９９でＹＥＳ），生成された合成画像を表す画像データが画像サーバ２０のメモリに格納される（図８ステップ１００）。
【００５７】
その後，クライアント・コンピュータ３０などから合成画像データの送信指令があると（図８ステップ１０１でＹＥＳ），そのクライアント・コンピュータ３０に生成された合成画像データが送信される（ステップ１０２）。クライアント・コンピュータ３０においては，高画質の合成画像が得られることとなる。
【００５８】
上述した実施例においては，合成画像を生成するのに携帯電話１においてはサムネイル画像が用いられている。このために，携帯電話１の記憶装置４は比較的容量の少ないものを利用することができる。
【図面の簡単な説明】
【図１】携帯電話システムの概要を示すブロック図である。
【図２】携帯電話の電気的構成を示すブロック図である。
【図３】携帯電話の処理手順を示すフローチャートである。
【図４】携帯電話の処理手順を示すフローチャートである。
【図５】（Ａ）から（Ｅ）は，携帯電話の表示画面等に表示される画像を示している。
【図６】携帯電話と画像サーバとの間の処理手順を示すフローチャートである。
【図７】携帯電話と画像サーバとの間の処理手順を示すフローチャートである。
【図８】携帯電話と画像サーバとの間の処理手順を示すフローチャートである。
【符号の説明】
１　携帯電話
２　ディジタル・カメラ
３　キー類
４　表示装置
５　記憶装置（画像メモリ）
６　制御装置
７　通信装置
８　アンテナ
９　画像処理装置
１０　画像抽出回路
１１　画像合成回路
２０　画像サーバ
【図１】
2004120269.tif 000003
【図２】
2004120269.tif 000004
【図３】
2004120269.tif 000005
【図４】
2004120269.tif 000006
【図５】
2004120269.tif 000007
【図６】
2004120269.tif 000008
【図７】
2004120269.tif 000009
【図８】
2004120269.tif 000010